(57)【要約】【課題】色変換における処理の負担を軽減する。【解決手段】ＢがＵ軸に近く、ＲがＶ軸に近いことに注目し、各色の向きに沿う色の調整パラメータの例を示すと、入力のＶが負の範囲にある場合、Ｂの影響度は小さいことがわかり演算量削減のためＢ成分に関しては演算から省く。同様に、Ｂが正の範囲、Ｕが正の範囲、Ｕが負の範囲において影響度の小さい成分を省略すると、図に示される向きの調整パラメータＡＲ、ＡＧ、ＡＢが定義できる。入力のＶが正の範囲にある場合には、ＡＲを入力のＶに乗算することによりＶ成分の調整を行うことができる。入力のＶが負の範囲、Ｕが正の範囲、Ｕが負の範囲についても、それぞれ同様に処理することを考えると、ＲＧＢのそれぞれの調整パラメータの値を、１より大きく設定したり、１より小さく設定したりすることにより、輝度とは独立に、強弱させたい色成分の方向へＵＶの値を近づけるように色の濃淡を調整する色変換処理を行うことができる。【選択図】図２
2011155691.tif 000002
【特許請求の範囲】
【請求項１】
ＵＶ平面上の色（ｘ，ｙ）を調整する色調整回路であって、
Ｂ若しくはＹｅの成分を調整するために、前記ｘに乗算される調整パラメータを用いかつ前記ｙの値を変更しない、又は、
Ｒ若しくはＣの成分を調整するために、前記ｙに乗算される調整パラメータを用いかつ前記ｘの値を変更しないことを特徴とする色調整回路。
【請求項２】
ＵＶ平面上の色（ｘ，ｙ）を調整する色調整回路であって、
前記ｘに乗算されるが前記ｙに乗算されない第１の調整パラメータと、前記ｙに乗算されるが前記ｘに乗算されない第２の調整パラメータとを設定可能であり、
Ｒ若しくはＣの成分を調整するために、前記第１の調整パラメータを用いかつ前記第２の調整パラメータを用いない、又は、
Ｂ若しくはＹｅの成分を調整するために、前記第２の調整パラメータを用いかつ前記第１の調整パラメータを用いないことを特徴とする色調整回路。
【請求項３】
ＵＶ平面上の色（ｘ，ｙ）を調整する色調整装置であって、
Ｂ若しくはＹｅの成分を調整するために、前記ｘに乗算される調整パラメータを用いかつ前記ｙの値を変更しない、又は、
Ｒ若しくはＣの成分を調整するために、前記ｙに乗算される調整パラメータを用いかつ前記ｘの値を変更しない色調整回路を有することを特徴とする色調整装置。
【請求項４】
ａ＊ｂ＊平面上の色（ｘ，ｙ）を調整する色調整回路であって、
Ｒ若しくはＣの成分を調整するために、前記ｘに乗算される調整パラメータを用いかつ前記ｙの値を変更しない、又は、
Ｂ若しくはＹｅの成分を調整するために、前記ｙに乗算される調整パラメータを用いかつ前記ｘの値を変更しないことを特徴とする色調整回路。
【請求項５】
ａ＊ｂ＊平面上の色（ｘ，ｙ）を調整する色調整回路であって、
前記ｘに乗算されるが前記ｙに乗算されない第１の調整パラメータと、前記ｙに乗算されるが前記ｘに乗算されない第２の調整パラメータとを設定可能であり、
Ｒ若しくはＣの成分を調整するために、前記第１の調整パラメータを用いかつ前記第２の調整パラメータを用いない、又は、
Ｂ若しくはＹｅの成分を調整するために、前記第２の調整パラメータを用いかつ前記第１の調整パラメータを用いないことを特徴とする色調整回路。
【請求項６】
ａ＊ｂ＊平面上の色（ｘ，ｙ）を調整する色調整装置であって、
Ｂ若しくはＹｅの成分を調整するために、前記ｘに乗算される調整パラメータを用いかつ前記ｙの値を変更しない、又は、
Ｒ若しくはＣの成分を調整するために、前記ｙに乗算される調整パラメータを用いかつ前記ｘの値を変更しない色調整回路を有することを特徴とする色調整装置。
【請求項７】
ＵＶ平面上の色（ｘ，ｙ）を調整する色調整方法であって、
Ｂ若しくはＹｅの成分を調整するために、前記ｘに乗算される調整パラメータを用いかつ前記ｙの値を変更しない、又は、
Ｒ若しくはＣの成分を調整するために、前記ｙに乗算される調整パラメータを用いかつ前記ｘの値を変更しないステップを有することを特徴とする色調整方法。
【請求項８】
ａ＊ｂ＊平面上の色（ｘ，ｙ）を調整する色調整方法であって、
Ｒ若しくはＣの成分を調整するために、前記ｘに乗算される調整パラメータを用いかつ前記ｙの値を変更しない、又は、
Ｂ若しくはＹｅの成分を調整するために、前記ｙに乗算される調整パラメータを用いかつ前記ｘの値を変更しないステップを有することを特徴とする色調整回路。
【請求項９】
請求項７又は８に記載の色調整方法をコンピュータに実行させるためのプログラム。
【発明の詳細な説明】
【技術分野】
【０００１】
本発明は電子機器に関する。
【背景技術】
【０００２】
近年、携帯型電子機器、例えば携帯端末などにおいて、鮮明なカラー表示が可能となり、携帯端末を用いて種々のコンテンツを視聴することができるようになってきた。
【０００３】
従来から、種々の色調整技術が提案されている。例えば、下記特許文献１に記載の技術は、任意の色相のそれぞれ独立に行うことで、色相マトリックスの補正における自由度が増す。この技術によれば、単色の色がずれてしまった場合に本来あるべきＵＶ値へ補正し、総合的な色再現性を得ることができる。
【先行技術文献】
【特許文献】
【０００４】
【特許文献１】特開昭６１−１９２９２号公報：色差マトリクス補正回路
【発明の概要】
【発明が解決しようとする課題】
【０００５】
しかしながら、上記特許文献１に記載の技術では、当該特許文献は、その図８に示すように、黄色のずれを補正するためにＣｒ（Ｒ−Ｙ）方向へ補正し、青色のずれを補正するためにもＣｒ（Ｒ−Ｙ）方向へ補正を行っている。すなわち、この技術では、色の補正は色相の補正を主としており、複数の定数を適切に設定することによって色ずれを補正するものである。また、この技術では、定数が複数あり、全ての定数をそれぞれどのように設定すればどのような色に補正されるのかが明確になっていないという問題もある。
本発明の目的は、色の調整をより簡単に行う技術を提供することを目的とする。
【課題を解決するための手段】
【０００６】
本発明の一観点によれば、直交する２軸（以下、Ｘ、Ｙ軸と称する。）によって画定され輝度を含まない色平面上において色を調整する色調整装置であって、ＲＧＢＣＭＹｅのうちの少なくともいずれか１色を前記Ｘ、Ｙ軸の向きのうちのいずれか一方の向きのみで色を調整する色調整部を有することを特徴とする色調整装置が提供される。
【０００７】
また、ＵＶ平面上でＲを調整する際に、Ｖの値のみでＲを調整することで、演算量を削減しながら、所望の色の強弱の調整を可能である。尚ＲＧＢＣＭＹｅでは、ＢＣＹｅについて同様な考え方（Ｕ、Ｖのどちらか一方の値のみで調整する）を適用可能である。
【発明の効果】
【０００８】
本発明によれば、色の強弱を簡単に調整することができる。従って、携帯端末などにおける表示の色変換処理の負担を軽減することができる。
【図面の簡単な説明】
【０００９】
【図１】原色系のＵＶ平面における各色の分布を示す図である。
【図２】原色系の調整パラメータの一例を示す図である。
【図３】原色系と補色系とを含めたＵＶ平面における各色の分布を示す図である。
【図４】原色系と補色系とを含めた調整パラメータの一例を示す図である。
【図５】色の強弱処理をした場合の変換例を示す図である。
【図６】強弱させたい色以外への影響を小さくした場合の変換例を示す図である。
【図７】単色のＲを強弱させた場合の色変換例を示す入出力特性を示す図である。
【図８】単色のＧを強弱させた場合の色変換例を示す入出力特性を示す図である。
【図９】単色のＢを強弱させた場合の色変換例を示す入出力特性を示す図である。
【図１０】単色でないＲを強めた場合の色変換例を示す入出力特性を示す図である。
【図１１】単色でないＲを弱めた場合の色変換例を示す入出力特性を示す図である。
【図１２】単色でないＲを強めた場合の色変換例を示す入出力特性を示す図である。
【図１３】単色でないＲを弱めた場合の色変換例を示す入出力特性を示す図である。
【図１４】単色でないＧを強めた場合の色変換例を示す入出力特性を示す図である。
【図１５】単色でないＧを弱めた場合の色変換例を示す入出力特性を示す図である。
【図１６】単色でないＢを強めた場合の色変換例を示す入出力特性を示す図である。
【図１７】単色でないＢを弱めた場合の色変換例を示す入出力特性を示す図である。
【図１８】本実施の形態による色調整技術を利用した表示装置の一構成例を示す図である。
【図１９】本実施の形態による色調整技術を利用した携帯端末の一構成例を示す図である。
【図２０】本実施の形態による携帯端末の外観構成例を示す図である。
【００１０】
【図２１】携帯端末の色表示に関連する第１の利用シーンによる処理例を示す図である。
【図２２】本実施の形態による色調整技術を利用して複数の携帯端末において色調整を行うシステムの一構成例を示す図である。
【図２３】映像信号処理部の処理の流れを示す図である。
【図２４】本発明の第１の実施の形態による色調整処理の概要を示す図である。
【図２５】本発明の第２の実施の形態による第１色調整処理の概要を示す図である。
【図２６】本発明の第２の実施の形態による第２色調整処理の概要を示す図である。
【図２７】本発明の第３の実施の形態による第１色調整処理の概要を示す図である。
【図２８】本発明の第３の実施の形態による第２色調整処理の概要を示す図である。
【図２９】本発明の第１の実施の形態による色変換処理のための式と、それに基づく回路構成例を示す図である。
【図３０】本発明の第２の実施の形態による色変換処理のための式と、それに基づく回路構成例を示す図である。
【図３１】本発明の第２の実施の形態による色変換処理のための式と、それに基づく回路構成例を示す図である。
【図３２】ＣｂＣｒ平面を示す図である。
【図３３】ＰｂＰｒ空間を示す図である。
【図３４】ＩＱ平面を示す図である。
【図３５】ｕ＊ｖ＊平面を示す図である。
【図３６】ａ＊ｂ＊平面を示す図である。
【図３７】ａ＊ｂ＊平面における各色の調整パラメータと方向を示す図である。
【発明を実施するための形態】
【００１１】
本明細書において、Ｙは輝度信号であり、Ｕは色差信号（Ｂ−Ｙ）であり−１／２〜１／２の範囲とし、Ｖは色差信号（Ｒ−Ｙ）であり−１／２〜１／２の範囲とする。また、ＲＧＢＣＭＹｅはそれぞれ赤色、緑色、青色、シアン、マゼンダ、黄色であり０〜１の範囲とする。また、色の濃さは、以下のように定義する。すなわち、それぞれの色成分（色差や色度）を２乗したものを加算し、平方根をとったものとする。例えば、ＹＵＶ空間の場合の、色の濃さとは以下の式とし、値が小さいと色が薄いや弱い、値が大きいと色が濃いや強いと本明細書においては記載する。
【００１２】
色の濃さ＝（Ｕ２＋Ｖ２）１／２
以下、本発明の実施の形態による色調整技術について図面を参照しながら説明を行う。
【００１３】
（第１の実施の形態）
図１は、本実施の形態による色調整技術の第１の原理を示す図であり、ＵＶ平面におけるＲ、Ｇ、Ｂの３原色の分布を示す図である。ここでは、ＲＧＢの場合について説明するが、ＣＭＹｅでも同様に適用することができる。ＵＶ平面内において、ＲＧＢのそれぞれ単色は、ほぼ図１のように分布する。「１９８９年出版  ＮＨＫテレビ技術教科書[上]」によると、ＮＴＳＣ方式のカラーテレビ信号は、Ｕ軸を基準として、Ｒが１０３．５°、Ｇが２４０．６°、Ｂが３４７．６°の角度を成している。
発明者は、図１において、ＢがＵ軸に近く、ＲがＶ軸に近いことに注目した。
【００１４】
図２は、この点に着目して、各色の向きに沿う色の調整パラメータの例を示す図である。図２に示すように、例えば、入力のＶが負の範囲にある場合、Ｂの影響度は小さいことがわかるため演算量削減のためＢ成分に関しては演算から省く。同様に、Ｖが正の範囲、Ｕが正の範囲、Ｕが負の範囲において影響度の小さい成分を省略した。ＲはＶ軸方向、ＢはＵ軸方向として、図に示される向きの調整パラメータＡＲ、ＡＧ、ＡＢが定義できる。ここでＧは、Ｕ、Ｖ軸の両方に同じだけ変換が影響されるようになることを想定してＡＧの定義をおこなった。Ｕ軸を基準として２２５°の角度に定義している。
【００１５】
入力のＶが正の範囲にある場合には、ＡＲを入力のＶに乗算することによりＶ成分の調整を行うことができる（式１参照）。
【数１】
2011155691.tif 000003
【００１６】
入力のＶが負の範囲、Ｕが正の範囲、Ｕが負の範囲についても、それぞれ同様に処理することを考えると式２が得られる。
【数２】
2011155691.tif 000004
【００１７】
上記の式において、ＲＧＢのそれぞれの調整パラメータの値を、１より大きく設定したり、１より小さく設定したりすることにより、輝度とは独立に、強弱させたい色成分の方向へＵＶの値を近づけるように色の濃淡を調整する色変換処理を行うことができる。
【００１８】
上記のように影響度の小さい成分を演算から省くように色調整を行うことで、演算量を低減することができるという利点がある。
【００１９】
（第２の実施の形態）
本実施の形態による技術は、上記第１の実施の形態による色調整技術に対して、強弱をさせたい色以外の色への影響を小さくする調整技術に関するものである。第１の実施の形態に示すように例えばＡＲを定義した場合に、Ｕが負の方向にＲの影響があることを考慮すると、より正確には、Ｕが正の方向での影響は小さくすることが好ましい。そこで、入力のＶが正の範囲にある場合には、固定値１とＡＲについてＵの値を用いた重み付け平均を取り、その値を入力のＶに乗算することでＶ成分の調整を行うことにより特定色以外への影響を小さくする（式３）。ここでは、２つの式を例として挙げる。
【００２０】
【数３】
2011155691.tif 000005
【００２１】
ここで、入力のＶが負の範囲、Ｕが正の範囲、Ｕが負の範囲についても、それぞれ同様に処理すると式４が得られる。ここでも、２種類の式を例として示す。
【数４】
2011155691.tif 000006
【００２２】
ＲＧＢの調整パラメータを強めたい場合は、値を１より大きく設定し、弱めたい場合は１より小さく設定すれば、特定色以外への色の影響を小さくしながらＵＶの値を変化させることが可能になる。
【００２３】
（第３の実施の形態）
本実施の形態による技術は、上記第１の実施の形態による色調整技術に対して、強弱させたい色以外への影響を小さくし、ＲＧＢＣＭＹｅの色を調整する点を特徴としている。
ＵＶ平面内において、ＲＧＢＣＭＹｅの各色は、おおよそ図３に示すような方向に分布する。
【００２４】
上記の「１９８９年出版  ＮＨＫテレビ技術教科書[上]」によると、ＮＴＳＣ方式のカラーテレビ信号はＵ軸基準でＲは１０３．５°、Ｇは２４０．６°、Ｂは３４７．６°、Ｃは２８３．５°、Ｍは６０．６°、Ｙｅは１６７．６°の角度をなしている。
発明者は、図３において、ＢとＹｅがＵ軸に近く、ＲとＣがＶ軸に近いことに注目した。
【００２５】
ここで、各色の向きに沿った調整パラメータを考える。
例えば、入力のＶが正の範囲にある場合、Ｙｅの影響度は小さいので演算量削減のためＹｅ成分は演算から省く。同様にＶが負の範囲、Ｕが正の範囲、Ｕが負の範囲において影響度の小さい成分を省略した。ＲとＣはＶ軸方向、ＢとＹｅはＵ軸方向として、図４で示される向きの調整パラメータ  ＡＲ、ＡＧ、ＡＢ、ＡＣ、ＡＭ、ＡＹｅが定義できる。ここでＧとＭは、Ｕ、Ｖ軸の両方に同じだけ変換が影響されるようになることを想定してＡＧ、ＡＭの定義をおこなった。ＡＧはＵ軸を基準として２２５°の角度に、ＡＭはＵ軸を基準として４５°の角度に定義している。
【００２６】
上記第１の実施の形態の場合と同様に他の色への影響を考慮する。つまり、入力のＶが正の範囲にある場合には、ＡＲとＡＭとについてＵの値を用いた重み付け平均を取り、その値を入力のＶに乗算することによりＶ成分の調整を行うことができる（式５）。ここで、例として２種類の式を示している。
【００２７】
【数５】
2011155691.tif 000007
【００２８】
尚、入力のＶが負の範囲、Ｕが正の範囲、Ｕが負の範囲についてもそれぞれ同様に処理すると式６が得られる。式６としては、２つの例を示している。
【数６】
2011155691.tif 000008
【００２９】
ＲＧＢＣＭＹｅの調整パラメータを強めたい場合は、調整パラメータ値を１より大きく、弱めたい場合は調整パラメータ値を１より小さく設定すれば、特定色以外への色の影響を小さくしながらＵＶの値を変化させることができる。
【００３０】
以下に、上記第１の実施の形態と第３の実施の形態による技術を用いて、色変換を行う第１の変換例について図面を参照しながら説明を行う。図５は、第１の実施の形態による色調整技術（式（２）を用いた）を利用して色変換を行った場合の、ＵＶ平面におけるＲ、Ｇ、Ｂの変換の様子を示す図である。調整パラメータとしては、ＡＲ＝ＡＧ＝１．５であり、赤色と緑色とを強調した例である。
【００３１】
ここで、例えば矢印ＡＲ１の始点Ｐ０は変換前の位置を示しており、矢印の終点Ｐ１は変換後の位置を示す。矢印の軸長が変換の大きさを示す。図５に示すように、強調したい色であるＲはＶ軸に沿って強調されており、強調したい色であるＧは、Ｕ、Ｖ＜０の方向に沿って強調されていることがわかる。
【００３２】
次に、上記の第１の変換例において、上記第３の実施の形態による変換技術を併用した例について図６を参照しながら説明する。図６は、ＡＲ＝ＡＧ＝１．８２５に設定し、以下の式（７）を用いて変換した場合の、ＵＶ平面におけるＲ、Ｇ、Ｂの変換の様子を示す図である。式（７）は、式（６−２）でＳ１からＳ４及びＴ１からＴ４までが全て１／２とした場合の式である。
【００３３】
【数７】
2011155691.tif 000009
【００３４】
図６のＡＲ２と図５のＡＲ１とを比較するとわかるように、Ｒ、Ｇの調整されている様子は、図５と図６で大きな変化はないが、調整したい色（変換した色）であるＲ、Ｇから離れた色（Ｂ）における変換の影響が少なくなっていることがわかる。すなわち、変換を意図した変換したくない色に対しての影響を低減することができる。
【００３５】
次に、図７から図９までを参照しながら、第２の色変換例について説明する。図７から図９までは、単色のＲＧＢデータを上記第３の実施の形態による手法で変換し、ＲＧＢデータに戻した場合のデータの入出力特性を示す図である。変換に用いた式を表１に示す。表１は、ＲＧＢをＹＵＶに変換する際の変換式（左）と、ＵＶデータを上記第３の実施の形態による手法で変換する変換式（中央）と、ＹＵＶをＲＧＢに変換する際の変換式（右）と、の式を示す表である。
【００３６】
【表１】
2011155691.tif 000010
【００３７】
尚、図７から図９までに示したように、パラメータの大きさによってＲＧＢの強弱の大きさにそれぞれ差が生じているが、それらはパラメータの設定によって変化させることができる。ここで、それぞれ個別のパラメータを同じ値に設定した場合に、ＲＧＢの変換後の変化量も同じにしたい場合は、例えば第１の実施の形態であれば式（８）、第２の実施の形態であれば式（９）、第３の実施の形態であれば式（１０）を用いて変換すれば良い。
【００３８】
【数８】
2011155691.tif 000011
【００３９】
【数９】
2011155691.tif 000012
【数１０】
2011155691.tif 000013
【００４０】
図７においては、ＡＲ＝１．５とし、ＧとＢとを０とし、Ｒを０から１に変化させた場合のＵ、Ｖ値を求め、そのＵＶを用いてＵＶデータの変換を行い、求めたＵ’、Ｖ’を用いてＲ’、Ｇ’、Ｂ’を算出した例である。さらに、ＡＲ＝０．５の場合についても同様にして求めた。同様に、図８は、Ｇを０から１に変化させ、ＲとＢが共に０の場合のＵ、Ｖ値を求め、そのＵＶを用いてＵＶデータの変換を行い、求めたＵ’、Ｖ’を用いてＲ’、Ｇ’、Ｂ’を算出した例である。さらに、ＡＧ＝０．５の場合についても同様にして求めた。図９は、Ｂを０から１に変化させ、ＲとＧが共に０の場合のＵ、Ｖ値を求め、そのＵＶを用いてＵＶデータの変換を行い、求めたＵ’、Ｖ’を用いてＲ’、Ｇ’、Ｂ’を算出した例である。さらに、ＡＢ＝０．５の場合についても同様にして求めた。図７から９までに示すように、ＲＧＢのそれぞれの色に関して、調整パラメータにより単色の色調整することが可能であり、本実施の形態により色の濃淡の変換処理を行うことができる。
【００４１】
ここで、第３の実施の形態による変換技術による変換後のＵ’、Ｖ’がオーバーフローした場合は−１／２又は１／２に近似している。また、ＲＧＢデータに戻した場合のＲＧＢがオーバーフローした場合は１に近似している。本明細書においては、Ｕ、Ｖの値に関しては−１／２〜１／２に正規化し、ＲＧＢの値に関しては０〜１に正規化して、図示を行っているため上記のように近似したが、近似を行わない場合は図７から図９は多少異なる入出力特性が得られる。以下の図１０から図１７においても同様である。
【００４２】
次に、例えば単色ではないＲを強調させたい場合の処理例について説明する。変換するための式は、表１に示した式と同じである。
【００４３】
図１０は、ＧとＲのオリジナルデータと変換後のデータとの関係を示した図であり、Ｂが０の場合の図である。ＡＲ＝１．５、Ｇを１／４、Ｂを０とし、Ｒを０から１に変化させた場合のＵ、Ｖ値を求め、そのＵＶを用いてＵＶデータの変換を行い、求めたＵ’、Ｖ’を用いてＲ’、Ｇ’、Ｂ’を算出したものである。Ｒが０から１／４程度までの範囲では、Ｒ’もＧ’もほとんど変化せず、Ｒが１／４程度から上の範囲では１まで変化した場合にＲ’は強められ、Ｇ’は弱められる。その結果、意図に沿って、Ｒが強められていることが分かる。尚、Ｇの１付近で値が変化しているのは変換後のＶ’値のオーバーフローを−１／２〜１／２に近似したためである。
【００４４】
図１１も、ＧとＲのオリジナルデータと変換後のデータとの関係を示した図である。ＡＲ＝０．５、Ｇを１／４、Ｂを０とし、Ｒを０から１に変化させた場合のＵ、Ｖ値を求め、そのＵＶを用いてＵＶデータの変換を行い、求めたＵ’、Ｖ’を用いてＲ’、Ｇ’、Ｂ’を算出した。Ｒが０から１／４辺りまではＲ’もＧ’もほとんど変化せず、Ｒが１／４辺りから１まで変化した場合にＲ’は弱められ、Ｇ’は強められる。その結果、意図に沿ってＲが弱まっていることが分かる。
【００４５】
このように、単色ではないＲを強弱させたい場合にも、第３の実施の形態による変換技術を用いることで、変換させたい色を意図したとおりに変換させることができる。
【００４６】
次に、例えば、単色でないＲを強弱する例であって、Ｂが０でない例について図１２および図１３を参照しながら説明する。変換処理に用いる式は、上記と同様に表１に示す式である。
【００４７】
図１２は、ＡＲ＝１．５、Ｇを１／２、Ｂを１／４とし、Ｒを０から１まで変化させた場合におけるＵ、Ｖ値を求め、そのＵＶを用いてＵＶデータの変換を行い、求めたＵ’、Ｖ’を用いてＲ’、Ｇ’、Ｂ’を算出した例を示す図である。図１２に示すように、Ｒが０から１／２までの範囲では、Ｒ’もＧ’もＢ’もほとんど変化せず、Ｒが１／２から１まで変化する範囲では、Ｒ’は強められ、Ｇ’は弱められる。このように、変換の意図通りにＲが強められていることが分かる。尚、Ｂに関しては、入出力変化はほとんど見られない。
【００４８】
図１３は、ＡＲ＝０．５、Ｇを１／２、Ｂを１／４とし、Ｒを０から１に変化させた場合のＵ、Ｖ値を求め、そのＵＶを用いてＵＶデータの変換を行い、求めたＵ’、Ｖ’を用いてＲ’、Ｇ’、Ｂ’を算出した例を示す図である。Ｒが０から１／４までの範囲では、Ｒ’もＧ’もＢ’もほとんど変化せず、Ｒが１／４から１までの範囲で変化させた場合に、Ｒ’は弱められ、Ｇ’は強められる。その結果、意図に沿ってＲが弱まることが分かる。尚、Ｂに関しては、入出力変化はほとんど見られない。
【００４９】
次に、単色ではないＧを強弱させたい場合について説明する。図１４は、ＡＧ＝１．５、Ｂを１／２、Ｒを１／４とし、Ｇを０から１に変化させた場合のＵ、Ｖ値を求め、そのＵＶを用いてＵＶデータの変換を行い、求めたＵ’、Ｖ’を用いてＲ’、Ｇ’、Ｂ’を算出した。変換式は表１のものを用いている。図１４に示されるように、Ｒは０から１／４辺りまでは、Ｒ’はほとんど変化せず、１／４辺りから１までの変化でＲ’は弱められる。Ｂは０から１／２までの範囲では、Ｂ’はほとんど変化せず、１／２から１までの範囲ではＢ’は弱められる。Ｇは０から１／４辺りまでは、Ｇ’はほとんど変化せず、１／４辺りから１までの変化でＧ’は強められる。その結果、Ｇが強められていることが分かる。
【００５０】
一方、図１５では、ＡＧ＝０．５、Ｂを１／２、Ｒを１／４とし、Ｇを０から１まで変化させた場合のＵ、Ｖ値を求め、そのＵＶを用いてＵＶデータの変換を行い、求めたＵ’、Ｖ’を用いてＲ’、Ｇ’、Ｂ’を算出した結果を示す図である。図１５に示すように、Ｇが０から１／４までの範囲では、Ｇ’はほとんど変化せず、１／４から１までの範囲ではＧ’は弱められる。Ｒは０から１／４までの範囲では、Ｒ’はほとんど変化せず、１／４から１までの範囲では、Ｒ’は強められる。Ｂは０から１／２までの範囲では、Ｂ’はほとんど変化せず、１／２から１までの範囲ではＢ’は強められる。その結果、意図に沿って、Ｇが弱められていることが分かる。
【００５１】
次に、単色ではないＢを強弱させたい場合について図１６・１７を参照しながら説明する。変換式は表１に示す式である。
【００５２】
図１６は、ＡＢ＝１．５、Ｒを１／２、Ｇを１／４とし、Ｂを０から１に変化させた場合のＵ、Ｖ値を求め、そのＵＶを用いてＵＶデータの変換を行い、求めたＵ’、Ｖ’を用いてＲ’、Ｇ’、Ｂ’を算出した特性を示す図である。Ｂが０から１／４までの範囲では、Ｂ’はほとんど変化せず、１／４から１までの範囲ではＢ’は強められる。Ｇは０から１／４までの範囲では、Ｇ’はほとんど変化せず、１／４から１までの範囲ではＧ’は弱められる。Ｒは０から１まで変化してもＲ’はほとんど変化しない。その結果、変換の意図に沿ってＧが強められていることが分かる。
【００５３】
図１７は、ＡＢ＝０．５、Ｒを１／２、Ｇを１／４とし、Ｂを０から１に変化させた場合のＵ、Ｖ値を求め、そのＵＶを用いてＵＶデータの変換を行い、求めたＵ’、Ｖ’を用いてＲ’、Ｇ’、Ｂ’を算出した特性を示す図である。Ｂが０から１／４までの範囲では、Ｂ’はほとんど変化せず、１／４から１までの範囲でＢ’は弱められる。Ｇは０から１／４までの範囲では、Ｇ’はほとんど変化せず、１／４から１までの範囲でＧ’は強められる。Ｒは０から１までの範囲ではＲ’はほとんど変化しない。その結果、意図した通り、Ｂが弱まることが分かる。
【００５４】
以上のように、ＲＧＢにおいて、変換したい色の色調整パラメータの設定によって色の強弱の調整をすることができることがわかる。
【００５５】
以下に、上記色の強弱（濃淡）の調整技術を表示装置及び携帯端末に利用した例について説明する。図１８は、本実施の形態による色調整技術を利用した表示装置の一構成例を示す図である。図１８に示すように、本実施の携帯による表示装置Ｂは、データの入出力を行える外部接続端子４３と、映像信号処理部２５と、表示部２７と、を有している。映像信号処理部２５は、上記のいずれかの実施の形態による色調整を行う色調整部３５と、ガンマ補正部４１とを備えている。図１８の表示装置は、表示部を備える種々のものとして実現することができ、一例として、液晶ディスプレイやプラズマディスプレイや有機ＥＬディスプレイなどに応用が可能である。
【００５６】
また、本実施の携帯による色調整技術では、色の強弱を簡単に調整すること、色変換処理の負担を軽減することができるため、携帯電話をはじめとする携帯端末がより適している。図１９は、本実施の形態による色調整技術を利用した携帯端末の一構成例を示す図である。図１９に示すように、本実施の形態による携帯端末Ａは、操作部１と、無線通信部３と、カメラ５と、データの入出力を行える外部接続端子４３と、レジスタ１１と、ＴＶ受信部１５と、メモリ１７と、外部メモリＩ／Ｆ２１と、映像信号処理部２５と、表示部２７と、全体を制御する制御部（ＣＰＵ）３１と、を有している。映像信号処理部２５は、画像補正部３３と、上記のいずれかの実施の形態による色調整を行う色調整部３５と、ＲＧＢＹＵＶ変換部３７と、ガンマ補正部４１と、を備えている。
【００５７】
図２０は、上記携帯端末の外観構成例を示す図である。図２０に示すように、表示部２７には、色調整５３に関するメニュー表示５１がなされている。色調整５３の項目と、現在の設定値５５とが示されており、現在は赤色（Ｒ）の設定値にフォーカスが当てられている。ここで、操作部１によって表示部２７に表示された色調整５３の設定値５５を変更できるようにしても良い（図では赤色を調整している様子を示している）。或いは、端末メーカ側が出荷時に個体差を無くすなどの目的で調整できるようにしても良い。
【００５８】
図２１は、携帯端末の色表示に関連する第１の利用シーンによる処理例を示す図である。図２１に示すように、無線通信部３ａ、カメラ５、外部メモリＩ／Ｆ２１、外部接続端子４３から取得した動画或いは静止画や、ＴＶ受信部１５から取得した１セグ放送に基づく動画などが、入力映像信号として映像信号処理部２５に入力され、色調整部３５によって色調整がされる。この色調整においては、操作部１からのユーザ操作により設定が行われ、制御部３１が操作を受け付け、レジスタ１１に設定されている現在値を変更することができる。このようにして更新されたパラメータが、色調整部３５における色調整に用いられる。色調整された映像信号に基づいて、出力映像信号が表示部２７に表示される。これによりＴＶ電話時の相手画像やカメラ画像データ、外部メモリＩ／Ｆから取得した動画、１セグ放送などを映像の種類やアプリケーションに応じて、例えば図２０のようにパラメータを調整することにより、それぞれユーザの好みに応じた映像に変換することができる。また出力映像信号はメモリ１７に記憶することができても良い。
【００５９】
つまりメモリ１７は、取り外し可能なカード型メモリのような媒体や、内蔵の不揮発性メモリなどであり、色調整部で処理した映像を保存（録画）できるようにしても良い。また、その処理に利用した色調整パラメータと関連付けて映像を保存することができてもよい。
【００６０】
これにより、再度保存データを表示部２７で見る場合に、色調整パラメータの再設定の処理を省略することができる。また、出力映像信号は、外部接続端子４３から送受信できるように構成されていてもよい。これにより、他の機器に映像を直接送信でき、例えば、大きなディスプレイに接続して映像を大画面で見ることもできる。更に、色調整された映像信号や色調整パラメータの設定値を外部接続端子４３や無線通信部３ｂから送受信できるようにしても良い。例えば、テレビ電話機能を備えている場合に、テレビ電話による通話時に、カメラで撮影中の自画像を色調整部３５で色調整し、その映像や色調整パラメータの設定値を送信するようにしても良い。その処理に利用した色調整パラメータと映像とを関連付けて保存しても良い。また、色調整部で処理した映像や、上記関連付けを、専用の記憶領域１７ａに記憶させるようにしても良い。記憶領域１７ａには、関連付けのテーブル等のみを格納するようにしても良い。
【００６１】
次に、本実施の形態による色調整技術を利用して複数の携帯端末において色調整を行う例について説明する。図２２は、このようなシステムの一構成例を示す図である。図２２に示すシステムＸは、ユーザＡが使用する携帯端末Ａ１と、ユーザＢが使用する携帯端末Ａ２と、を利用するものである。ユーザＡが使用する携帯端末Ａ１において、例えば１セグ放送６３を電波塔６１から取得し、ユーザＡが映像を見ながら色調整を行って、適した、或いは、好みの設定値（色調整パラメータ）をアップロードする（６７）。このようにしてアップロードされた設定値は、ネットワーク６５を経由してユーザＢが使用する携帯端末Ａ２にダウンロードされる（７３）。これにより、携帯端末Ａ２のユーザは、ダウンロードした設定値をそのまま使用して色調整することもできるし、その設定値を基準として更に色調整を行うことができるため、ある映像に関する色調整の手間を少なくすることができるという利点がある。尚、ユーザＡが使用した設定値をネットワークを介して直接ユーザＢに送信する例としては、テレビ電話の自画像送信に合わせたパラメータの送信やユーザＡの好みの１セグ視聴用設定値などが該当する。或いは、１セグのコンテンツ自体（ヘッダ部分など）に設定値が付与されていてもよい。また、サーバ７１を介して設定値をダウンロードできるようにしてもよい。これにより、サーバ７１が提供する動画コンテンツにマッチした設定値を取得することができる。
【００６２】
図２３は、映像信号処理部の処理の流れを示す図である。図２３に示すように、入力映像信号がＲＧＢＹＵＶ変換部３７に進み、変換が行われた後に画像補正部３３において画像補正を行い、色調整部３５において本実施の形態による色調整を行う。次いで、ＲＧＢＹＵＶ変換部３７において色変換を行い、次いで、ガンマ補正部４１においてガンマ補正を行い、出力映像信号とする。以下に、より具体的な色変換処理を、ソフトウェア処理する場合とハードウェア処理する場合とに関して説明する。尚、一部をソフトウェア処理し、一部をハードウェア処理することも可能である。
【００６３】
図２４は、本発明の第１の実施の形態による色調整処理の概要を示す図である。図２４（Ａ）は、第１の実施の形態による第１色変換処理に用いる変換式であり、図２４（Ｂ）は、第１の色調整処理の流れを示すフローチャート図である。まず処理が開始されると（ステップＳ１：ＳＴＡＲＴ）、ステップＳ２において、Ｕは０以上（正又は０）であるか否かを判定する。Ｙｅｓの場合には、ステップＳ３に進み図２４（Ａ）の式に含まれるαとしてＡＢを代入する。一方、Ｎｏの場合に、ステップＳ４に進みαとしてＡＧを上記式に代入する。ステップＳ３、Ｓ４から、いずれの場合も、ステップＳ５に進み、変換式Ｕ’＝α・ＵによりＵ’を求める。次いで、ステップＳ６においてＶは０以上（正又は０）であるかどうかを判定する。Ｙｅｓであれば、ステップＳ７に進み、βにＡＲを代入する。一方、Ｎｏであれば、ステップＳ８に進み、βにＡＧを代入する。いずれの場合にも、ステップＳ９に進み、Ｖ’＝β・ＶによりＶ’を求める。これにより、変換処理が終了する（ステップＳ１０）。
【００６４】
図２５は、本発明の第２の実施の形態による第１色調整処理の概要を示す図である。図２５（Ａ）は、第２の実施の形態による色変換処理に用いる変換式であり、図２５（Ｂ）は、第２の色調整処理の流れを示すフローチャート図である。まず処理が開始されると（ステップＳ１１：ＳＴＡＲＴ）、ステップＳ１２において、Ｕは０以上（正又は０）であるか否かを判定する。Ｙｅｓの場合には、ステップＳ１３に進み図２５（Ａ）の式に含まれるαとして（Ｓ１＋Ｖ）＋（Ｔ１−Ｖ）・ＡＢを用いてαを演算する。一方、Ｎｏの場合に、ステップＳ１４に進みα＝（Ｓ２＋Ｖ）＋（Ｔ２−Ｖ）・ＡＧを用いてαを演算する。
【００６５】
ステップＳ１３、Ｓ１４から、いずれの場合も、ステップＳ１５に進み、変換式Ｕ’＝α・ＵによりＵ’を求める。次いで、ステップＳ１６においてＶは０以上（正又は０）であるかどうかを判定する。Ｙｅｓであれば、ステップＳ１７に進み、β＝（Ｓ３＋Ｕ）＋（Ｔ３−Ｕ）・ＡＲを求める。一方、Ｎｏであれば、ステップＳ１８に進み、β＝（Ｓ４＋Ｕ）＋（Ｔ４−Ｕ）・ＡＧを求める。いずれの場合にも、ステップＳ１９に進み、Ｖ’＝β・ＶによりＶ’を求める。これにより、変換処理が終了する（ステップＳ２０）。
【００６６】
図２６は、本発明の第２の実施の形態による第２色調整処理の概要を示す図である。図２６（Ａ）は、第２の実施の形態による第２色変換処理に用いる変換式であり、図２６（Ｂ）は、第２の色調整処理の流れを示すフローチャート図である。まず処理が開始されると（ステップＳ２１：ＳＴＡＲＴ）、ステップＳ２２において、Ｕは０以上（正又は０）であるか否かを判定する。Ｙｅｓの場合には、ステップＳ２３に進み図２６（Ａ）の式に含まれるαとしてＰ１（Ｖ）＋Ｑ１（Ｖ）・ＡＢを用いてαを演算する。一方、Ｎｏの場合に、ステップＳ２４に進みα＝Ｐ２（Ｖ）＋Ｑ２（Ｖ）・ＡＧを用いてαを演算する。
【００６７】
ステップＳ２３、Ｓ２４から、いずれの場合も、ステップＳ２５に進み、変換式Ｕ’＝α・ＵによりＵ’を求める。次いで、ステップＳ２６においてＶは０以上（正又は０）であるかどうかを判定する。Ｙｅｓであれば、ステップＳ２７に進み、β＝Ｐ３（Ｕ）＋Ｑ３（Ｕ）・ＡＲを求める。一方、Ｎｏであれば、ステップＳ２８に進み、β＝Ｐ４（Ｕ）＋Ｑ３（Ｕ）・ＡＧを代入する。いずれの場合にも、ステップＳ２９に進み、Ｖ’＝β・ＶによりＶ’を求める。これにより、変換処理が終了する（ステップＳ３０）。
【００６８】
図２７は、本発明の第３の実施の形態による第１色調整処理の概要を示す図である。図２７（Ａ）は、第３の実施の形態による第１色変換処理に用いる変換式であり、図２７（Ｂ）は、この色調整処理の流れを示すフローチャート図である。まず処理が開始されると（ステップＳ３１：ＳＴＡＲＴ）、ステップＳ３２において、Ｕは０以上（正又は０）であるか否かを判定する。Ｙｅｓの場合には、ステップＳ３３に進み図２７（Ａ）の式に含まれるα＝（Ｓ１＋Ｖ）・ＡＭ＋（Ｔ１−Ｖ）・ＡＢを用いてαを演算する。一方、Ｎｏの場合に、ステップＳ３４に進みα＝（Ｓ２＋Ｖ）・ＡＹｅ＋（Ｔ２−Ｖ）・ＡＧを用いてαを演算する。
【００６９】
ステップＳ３３、Ｓ３４から、いずれの場合も、ステップＳ３５に進み、変換式Ｕ’＝α・ＵによりＵ’を求める。次いで、ステップＳ３６においてＶは０以上（正又は０）であるかどうかを判定する。Ｙｅｓであれば、ステップＳ３７に進み、β＝（Ｓ３＋Ｕ）・ＡＭ＋（Ｔ３−Ｕ）・ＡＲを求める。一方、Ｎｏであれば、ステップＳ３８に進み、（Ｓ４＋Ｕ）・ＡＣ＋（Ｔ４−Ｕ）・ＡＧを代入する。いずれの場合にも、ステップＳ３９に進み、Ｖ’＝β・ＶによりＶ’を求める。これにより、変換処理が終了する（ステップＳ４０）。
【００７０】
図２８は、本発明の第３の実施の形態による第２色調整処理の概要を示す図である。図２８（Ａ）は、第３の実施の形態による第２色変換処理に用いる変換式であり、図２８（Ｂ）は、この色調整処理の流れを示すフローチャート図である。まず処理が開始されると（ステップＳ４１：ＳＴＡＲＴ）、ステップＳ４２において、Ｕは０以上（正又は０）であるか否かを判定する。Ｙｅｓの場合には、ステップＳ４３に進み図２８（Ａ）の式に含まれるα＝Ｐ１（Ｖ）・ＡＭ＋Ｑ１（Ｖ）・ＡＢを用いてαを演算する。一方、Ｎｏの場合に、ステップＳ４４に進みα＝Ｐ２（Ｖ）・ＡＹｅ＋Ｑ２（Ｖ）・ＡＧを用いてαを演算する。
【００７１】
ステップＳ４３、Ｓ４４から、いずれの場合も、ステップＳ４５に進み、変換式Ｕ’＝α・ＵによりＵ’を求める。次いで、ステップＳ４６においてＶは０以上（正又は０）であるかどうかを判定する。Ｙｅｓであれば、ステップＳ４７に進み、β＝Ｐ３（Ｕ）・ＡＭ＋Ｑ３（Ｕ）・ＡＲを求める。一方、Ｎｏであれば、ステップＳ４８に進み、β＝Ｐ４（Ｕ）・ＡＣ＋Ｑ４（Ｕ）・ＡＧを求める。いずれの場合にも、ステップＳ４９に進み、Ｖ’＝β・ＶによりＶ’を求める。これにより、変換処理が終了する（ステップＳ５０）。
【００７２】
図２４から図２８の色調整処理の流れを示すフローチャート図において、処理のステップがはじめにＵ’、次にＶ’のステップの場合について示したが、はじめにＶ’、次にＵ’の順序で処理を行ってもよい。
【００７３】
以下、上記の色変換処理を、ハードウェア処理するための回路の一例について図面を参照しながら説明を行う。図２９は、第１の実施の形態による色変換処理のための式（図２９（Ａ））と、それに基づく回路構成例を示す図であり、ソフトウェア処理では、図２４に対応する図である。図２９（Ｂ）に示すように、図２９（Ａ）の式による変換を行う回路１０１は、ＡＢ、ＡＧ、ＡＲの値を格納するレジスタ１０３と、ＵＶの値が正か負かによってＡＢとＡＧとの選択を行う第１のセレクタ１０５と、ＵＶの値が正か負かによってＡＧとＡＲとの選択を行う第２のセレクタ１０７と第１の乗算器１１１と第２の乗算器１１３、を有している。第１のセレクタ１０５の出力とＵ信号が乗算器１１１により乗算された乗算値がＵ’であり、第２のセレクタ１０７の出力とＶ信号が乗算器１１３により乗算された乗算値がＶ’である。このような簡素な構成で色調整を行うことができる。
【００７４】
図３０は、第２の実施の形態による色変換処理のための式（図３０（Ａ））と、それに基づく回路構成例を示す図であり、ソフトウェア処理では、図２５に対応する図（Ｓ１からＳ４及びＴ１からＴ４を全て１／２とする）である。図３０（Ｂ）に示すように、色調整回路１２１は、レジスタ１２３と、セレクタ１２５・１２７と、乗算器、減算器、加算器とを備えている。
【００７５】
図３１は、第３の実施の形態による色変換処理のための式（図３１（Ａ））と、それに基づく回路構成例を示す図であり、ソフトウェア処理では、図２７に対応する図（Ｓ１からＳ４及びＴ１からＴ４を全て１／２とする）である。図３１（Ｂ）に示すように、色調整回路１３１は、レジスタ１３３と、セレクタ１３５・１３７と、乗算器、減算器、加算器とを備えている。
【００７６】
以上のように、ハードウェア構成によっても、本実施の形態による色調整を行うことができる。
以上に説明したように、本実施の形態による色調整技術によれば、簡単な演算処理により色調整をできる。
【００７７】
尚、上記各実施の形態においては、ＹＵＶ色空間における色の濃さの調整について例示的に説明したが、その他の色空間において、その平面上で色差や色度などのカラーをプロットし、各色に対応したパラメータと方向とを定義すれば同様に変換を行うことができる。
【００７８】
色差や色度でプロットできるものとして、例えば、図３２は、ＣｂＣｒ平面であり、図３３はＰｂＰｒ平面であり、図３４はＩＱ平面であり、図３５はｕ＊ｖ＊平面である。ここで一例としてＬ＊ａ＊ｂ＊空間であれば、ＲＧＢの各色はおおよそ図３６に示すようにａ＊ｂ＊平面でプロットできる。従って、図３７に示すように調整パラメータの方向を定義して、上記と同様に色の濃さを調整することができる。
【００７９】
本変形例の色調整技術では、色相の補正ではなく色の濃さの補正を主としている。つまりずれの補正を目的としているのではなく、色をあえてずらすのが目的である。
【００８０】
また、本変形例では色の濃さを補正しているため、従来技術とは対象とする色の補正方向が異なっている。本発明ではパラメータと変換対象の色とが一対一の関係になっている。
さらに、パラメータの増／減によって濃く／薄くなるよう設定できる。
【００８１】
本変形例の装置によれば、輝度を考慮せず、例えば色差の値で変換する。輝度に関係しない色だけを調整することが可能である。尚、ＹＵＶ空間以外の空間へも適用可能であり、例えば、ＹＣｂＣｒ、ＹＰｂＰｒ、ＹＩＱ、Ｌ＊ｕ＊ｖ＊、Ｌ＊ａ＊ｂ＊、などの色空間への適用ができる。
【００８２】
前記色調整部は、前記ＸＹ平面において特定の方向に強さを持つ指定色に対応して調整パラメータを定義し、該調整パラメータにより色の強弱調整を行うことが好ましい。前記色調整部は、前記色調整パラメータにより、前記Ｘ、Ｙのデータを変換することが好ましい。前記色調整部は、複数の色を含む場合に、前記Ｘ軸、Ｙ軸に対する影響の小さい色の成分を除外して色の調整を行うことが好ましい。例えば、Ｖ軸に対する影響が低いもの（Ｙｅ：黄色）の成分は無視して、ＲとＭだけを用いて色の変換を行う（ＲＭＹｅのうち相対的に一番影響の小さいＹｅは無視する）ことで、演算量を減らしながら、所望の色の調整が可能である。前記色調整パラメータのうちの少なくともいずれか１つは、前記Ｘ軸又は前記Ｙ軸の少なくともいずれか一方の向きと平行であるものとして定義することが好ましい。
【００８３】
また、前記色調整パラメータのうちの少なくともいずれか１つは、前記Ｘ軸の向きから４５°又は１３５°又は２２５°又は３１５°のいずれか１つの角度をなすものとして定義することが好ましい。また、前記Ｘ、Ｙのデータを変換する際、前記Ｘ、Ｙのデータの正か又は負かに応じて前記色調整パラメータの切り替えを行うことが好ましい。前記ＸＹ平面上での色調整に基づく色変換の方向が、前記Ｘ軸又は前記Ｙ軸の少なくともいずれか一方に沿っていることを特徴とする。例えば、ＹＵＶ空間で特定方向に強さを持つ、指定色に対応したパラメータを定義し、それらを用いて色差データＵＶを入力値ＵＶの正負の値に応じて切り替えながら変換する。パラメータと色とが一対一に対応しており、パラメータの増／減のみで指定した色に対応した色の強／弱が可能であるため、ユーザ設定やソフト制御が容易に可能である。
【００８４】
前記色調整部は、データの入出力特性をとった場合に、色変換後のデータに関して、変換対象の色の入力値が大きいほど出力値の変化の割合も大きくなることを特徴とする。また、前記色調整部は、データの入出力特性をとった場合に、色変換後のデータに関して、変換対象の色を強める場合は、変換対象以外の色の出力値を、弱めるか或いは変化させず、変換対象の色を弱める場合は、変換対象以外の色の出力値を、強めるか或いは変化させないように調整することを特徴とする。例えば、ＲＧＢの色のうち、Ｒを変換対象にして色調整パラメータを設定し、色を強める（値を大きくする）変換を行った場合は、変換対象以外のＧとＢの変換結果は弱まる（小さくなる）か或いは変化はせず、強まる（値が大きくなる）ことはない。更に、前記色調整部は、変換対象の色を変化させるために前記色調整パラメータを設定した場合に、前記ＸＹ平面上において、変換対象の色の変化量に比べて、変換対象から離れた色の変化量が小さくなるように調整することを特徴とする。これにより、変換したい色の変化の度合いを大きくする（変換したくない色の変化の度合いを小さくする）ことができる。例えば、データが赤に近いほど赤の強調がなされるため、「赤っぽい色を赤くする」、「赤っぽくない色はあまり変化させない」という変換が行われる。
【００８５】
前記色調整部は、それぞれ個別の色の前記色調整パラメータを同じ値に設定した場合に、色変換後の出力値の変化量を全て同じになるように調整することも可能である。また、上記に記載の色調整装置であって、前記色調整パラメータ値を格納するレジスタと、前記色調整パラメータを選択するセレクタと、該セレクタにより選択された色調整パラメータと前記Ｘ、Ｙ入力値とを乗算する乗算器と、を有することを特徴とする色調整装置が提供される。
【００８６】
本変形例は、上記に記載の色調整装置を備えた映像信号処理部を備えることを特徴とする表示装置や携帯端末であっても良い。また、前記映像信号処理部により変換したデータを保存するメモリを有し、前記メモリに前記色調整装置によって変換したデータや前記色調整パラメータの設定値が関連付けられて保存されていることを特徴とする携帯端末であっても良い。前記色調整装置によって変換したデータや前記色調整パラメータの設定値を送信および／または受信することが可能な外部接続端子や無線通信部を有することを特徴とする携帯端末であっても良い。
【００８７】
前記色調整パラメータの設定値を変更可能なユーザインターフェイスを有することが好ましい。複数の携帯端末間において、前記色調整装置によって変換したデータや前記色調整パラメータの設定値を送信および／または受信可能とするシステムであっても良い。
【００８８】
前記色調整パラメータの設定値がコンテンツに付与されており、該コンテンツの再生に伴って該設定値に基づく色調整が行われるようにしても良い。
【００８９】
本変形例の他の観点によれば、直交する２軸（以下、Ｘ、Ｙ軸と称する。）によって画定され輝度を含まない色平面上において色を調整する色調整方法であって、ＲＧＢＣＭＹｅのうちの少なくともいずれか１色を前記Ｘ、Ｙ軸の向きのうちのいずれか一方の向きのみで色を調整するステップであって、前記ＸＹ平面において特定の方向に強さを持つ指定色に対応して調整パラメータを定義し、該調整パラメータにより色の強弱調整を行うステップを有することを特徴とする色調整方法が提供される。
【００９０】
本変形例は、上記に記載のステップをコンピュータに実行させるためのプログラムであっても良く、そのプログラムを記録するコンピュータ読みとり可能な記録媒体であっても良い。尚、このプログラムは、伝送媒体によって取得可能であっても良い。
【産業上の利用可能性】
【００９１】
本発明は、色調整回路およびそれを用いた映像機器等に利用可能である。
【符号の説明】
【００９２】
Ａ…携帯端末、Ｂ…表示装置、１…操作部、２…アンテナ、３、３ａ、３ｂ…無線通信部、５…カメラ、１１…レジスタ、１５…ＴＶ受信部、１７…メモリ、２１…外部メモリＩ／Ｆ、２５…映像信号処理部、２７…表示部、３１…制御部、３３…画像補正部、３５…色調整部、３７…ＲＧＢＹＵＶ変換部、４１…ガンマ補正部、４３…外部接続端子、５１…メニュー表示、５３…色調整、５５…現在の設定値、６１…電波塔、６３…１セグ、６５…ネットワーク、７１…サーバ。
【図１】
2011155691.tif 000014
【図２】
2011155691.tif 000015
【図３】
2011155691.tif 000016
【図４】
2011155691.tif 000017
【図５】
2011155691.tif 000018
【図６】
2011155691.tif 000019
【図７】
2011155691.tif 000020
【図８】
2011155691.tif 000021
【図９】
2011155691.tif 000022
【図１０】
2011155691.tif 000023
【図１１】
2011155691.tif 000024
【図１２】
2011155691.tif 000025
【図１３】
2011155691.tif 000026
【図１４】
2011155691.tif 000027
【図１５】
2011155691.tif 000028
【図１６】
2011155691.tif 000029
【図１７】
2011155691.tif 000030
【図１８】
2011155691.tif 000031
【図１９】
2011155691.tif 000032
【図２０】
2011155691.tif 000033
【図２１】
2011155691.tif 000034
【図２２】
2011155691.tif 000035
【図２３】
2011155691.tif 000036
【図２４】
2011155691.tif 000037
【図２５】
2011155691.tif 000038
【図２６】
2011155691.tif 000039
【図２７】
2011155691.tif 000040
【図２８】
2011155691.tif 000041
【図２９】
2011155691.tif 000042
【図３０】
2011155691.tif 000043
【図３１】
2011155691.tif 000044
【図３２】
2011155691.tif 000045
【図３３】
2011155691.tif 000046
【図３４】
2011155691.tif 000047
【図３５】
2011155691.tif 000048
【図３６】
2011155691.tif 000049
【図３７】
2011155691.tif 000050